(57)【要約】【課題】  股漏れ防止性能及び装着感に優れた使い捨ておむつを提供すること。【解決手段】  吸収性本体５と外装体１０とを具備し、吸収性本体５は、おむつの股下部Ｃに、外装体１０に固定された固定部５１と固定されていない非固定部５２を有し、外装体１０における、固定部５１の両側に、吸収性コアより薄い補助吸収体３１が、それぞれ、その一部が吸収性本体５の側縁より外方、他の一部が内方に位置するように固定されており、補助吸収体３１の吸収容量が吸収性コアの０．１〜１５％であり、非固定部５２には弾性部材５６が配され、外装体１０の脚周り部位にレッグ部弾性部材１４が配され、補助吸収体３１は、おむつ幅方向において、レッグ部弾性部材１４の配設位置よりも内側に配されている。【選択図】    図３
2006000329.tif 000002
【特許請求の範囲】
【請求項１】
吸収性コアを具備する吸収性本体と、該吸収性本体の非肌当接面側に位置して該吸収性本体を固定している外装体とを具備する使い捨ておむつであって、
前記吸収性本体は、おむつの股下部に、前記外装体に固定された固定部と、該固定部の両側に位置し前記外装体に固定されていない非固定部とを有しており、
前記外装体における、前記固定部の両側に位置する部分それぞれに、前記吸収性コアよりも厚さの薄い補助吸収体が、それぞれ、その一部が該吸収性本体の側縁よりも外方に位置し、他の一部が該側縁よりも内方に位置するように固定されており、前記補助吸収体は、それぞれの吸収容量が、前記吸収性コアの吸収容量の０．１〜１５％であり、
前記非固定部に、前記吸収性本体の長手方向に沿って弾性部材が配されており、前記外装体における着用者の脚周りに配される部位に、レッグギャザー形成用のレッグ部弾性部材が配されており、前記補助吸収体は、おむつ幅方向において、前記レッグ部弾性部材の配設位置よりも内側に配されている使い捨ておむつ。
【請求項２】
前記補助吸収体が、背側部に設けられている請求項１記載の使い捨ておむつ。
【請求項３】
前記補助吸収体は、おむつ幅方向外方に向かうに従って、おむつ長手方向全長を２等分する中央線からの離間距離が漸次増大する形状の外側縁を有している請求項１又は２記載の使い捨ておむつ。
【請求項４】
前記補助吸収体は、背側部及び腹側部に分割されて設けられている請求項１〜３の何れか記載の使い捨ておむつ。
【請求項５】
前記背側部に位置する分割片と、前記腹側部に位置する分割片との間のおむつ長手方向の離間距離が、おむつ幅方向外方に向かうに従って漸次増大している請求項４記載の使い捨ておむつ。
【請求項６】
前記補助吸収体は、液透過性の第２表面シート、液不透過性又は撥水性の第２裏面シート及びこれら両シート間に介在する吸収シートからなる請求項１〜５の何れか記載の使い捨ておむつ。
【発明の詳細な説明】
【技術分野】
【０００１】
本発明は、使い捨ておむつに関する。
【背景技術】
【０００２】
従来、使い捨ておむつにおいては、漏れを防止するために様々な工夫がなされている。例えば、特許文献１には、液吸収性の第１インナーパネルと、それを固定しているアウターシートとからなる使い捨ておむつであって、アウターシートの胴回り域における第１インナーパネルの両側に、液吸収性の第２インナーパネルを配置したものが提案されており、また、特許文献２には、立体ギャザーの外側に位置するサイドフラップ部に、液漏れ防止シートを、該フラップ部に設けた平面ギャザーと交差するように設けたおむつが提案されている。
【０００３】
また、特許文献３には、第１吸収体の両側に第２吸収体を有し、第１吸収体と第２吸収体間にバリヤーカフスが設けられた使い捨ておむつ、特許文献４には、一対の立体ギャザーの内側のみならず外側にも吸液可能な領域を形成した使い捨ておむつが提案されている。
【０００４】
更に、特許文献５には、中央に配された吸収体の両側に、一対の吸収体が、それぞれの一部分が中央の吸収体下に位置するように配置された使い捨ておむつが記載され、特許文献６には、中央に配された吸収体の両側に、一対の吸収体が、着用時の変形により、それぞれの一部が中央の吸収体下に位置するように配置された吸収性物品が記載されている。
【０００５】
【特許文献１】特開２００３−１２６１４２号公報
【特許文献２】特開２００３−１５９２７４号公報
【特許文献３】特開平３−１２１０６９号公報
【特許文献４】特開平５−３１７３６２号公報
【特許文献５】特開平１１-８９８８０号公報
【特許文献６】特開平９-５６１号公報
【発明の開示】
【発明が解決しようとする課題】
【０００６】
しかし、上述した従来技術のおむつ等には、以下のような問題がある。
特許文献１記載のおむつにおいては、第２インナーパネルを胴回り域のみに配してあるため、脚周りからの漏れを防止する性能（以下、股漏れ防止性能という）の向上効果を期待できない。
特許文献２記載のおむつは、股漏れ防止性能の向上を図ったものであるが、液漏れ防止シートによって平面ギャザーの伸縮応答性が悪化するため、フィット性の低下により漏れが発生しやすくなる。そのため、股漏れ防止性能を向上効果が不充分である。
【０００７】
特許文献３，４記載のおむつにおいては、第２吸収体の存在や立体ギャザーが吸収体上に存在することによって、バリヤーカフスや立体ギャザーの伸縮性が悪く、また、バリヤーカフスや立体ギャザーの外側での吸収性能を安定的に発現するためには、股間部における吸収体幅を広くしなければならず、装着時に違和感を伴う場合がある。更に、バリヤーカフスや立体ギャザー同士間の間隔を狭くすると、吸収可能な領域が狭くなりモレの危険性が高まる。即ち、防漏性と装着感を両立することができない。
【０００８】
特許文献５記載のおむつは、中央の吸収体が配された部分が、排泄部と密着して空間がないために、高速多排尿時には漏れ易く、また、中央の吸収体の上下が親水性の表面シートで覆われているため、両サイドの吸収体が濡れてしまいモレ防止機能が低下する。更に、撥水性の立体ギャザーの外側に吸収体が存在しないので、立体ギャザーを乗り越えた尿がモレ易い。
特許文献６記載の吸収性物品は、中央の吸収体が配された部分が、排泄部と密着して空間がないために、高速多排尿時には漏れ易い。
【０００９】
本発明の目的は、股漏れ防止性能及び装着感に優れた使い捨ておむつを提供することにある。
【課題を解決するための手段】
【００１０】
本発明は、吸収性コアを具備する吸収性本体と、該吸収性本体の非肌当接面側に位置して該吸収性本体を固定している外装体とを具備する使い捨ておむつであって、前記吸収性本体は、おむつの股下部に、前記外装体に固定された固定部と、該固定部の両側に位置し前記外装体に固定されていない非固定部とを有しており、前記外装体における、前記固定部の両側に位置する部分それぞれに、前記吸収性コアよりも厚さの薄い補助吸収体が、それぞれ、その一部が該吸収性本体の側縁よりも外方に位置し、他の一部が該側縁よりも内方に位置するように固定されており、前記補助吸収体は、それぞれの吸収容量が、前記吸収性コアの吸収容量の０．１〜１５％であり、前記非固定部に、前記吸収性本体の長手方向に沿って弾性部材が配されており、前記外装体における着用者の脚周りに配される部位に、レッグギャザー形成用のレッグ部弾性部材が配されており、前記補助吸収体は、おむつ幅方向において、前記レッグ部弾性部材の配設位置よりも内側に配されている使い捨ておむつを提供することにより前記目的を達成したものである。
【発明の効果】
【００１１】
本発明の使い捨ておむつは、股漏れ防止性能及び装着感に優れている。
【発明を実施するための最良の形態】
【００１２】
以下本発明を、その好ましい実施形態に基づき図面を参照しながら説明する。
本発明の一実施形態としての使い捨ておむつ１は、成人用のおむつであり、図１に示すように、パンツ型のおむつである。おむつ１は、図２及び図３に示すように、液透過性の表面シート２、液不透過性又は撥水性の裏面シート３及び両シート２，３間に介在された液保持性の吸収性コア４を有する吸収性本体５と、該吸収性本体５の外側（非肌当接面側）に位置して該吸収性本体５を接合固定している外装体１０とからなる。おむつ１は、展開且つ伸張状態のおむつの長手方向の全長Ｌ１（図２参照）を２等分する中央線ＣＬを境界として、着用者の背側に配される背側部Ａと腹側に配される腹側部Ｂとに区分される。
ここで、展開且つ伸長状態とは、サイドシール部を引き剥がして（サイドシール部がない場合は着用者の左右側部に位置する吸収性物品側部を切断して）、使い捨ておむつを展開状態とし、その展開状態のおむつを、各部の弾性部材を伸長させ、設計寸法（弾性部材の影響を一切排除した状態で平面状に広げたときの寸法と同じ）となるまで拡げた状態をいう。
【００１３】
外装体１０は、図１に示すように、背側部Ａを形成する部分の両側縁部と腹側部Ｂを形成する部分の両側縁部とが公知の接合手段により互いに接合されている。この接合によって、おむつ１には、一対のサイドシール部２１、ウエスト開口部２２及び一対のレッグ開口部２３，２３が形成されている。
【００１４】
図２に示すように、吸収性本体５は縦長矩形状をなし、その長手方向を、展開且つ伸長状態のおむつの長手方向（パンツ型おむつにおいては、この方向を、おむつ長手方向という）に一致させ、公知の接合手段により、外装体１０の幅方向中央部に接合されている。
吸収体コア４は、長手方向中央部が括れた形状（砂時計状の形状）をなしており、表面シート２及び裏面シート３間に挟持固定されている。吸収性コア４は、図示しないが、ティッシュペーパ、透水性の不織布等からなる透水性の被覆シートで被覆されている。
【００１５】
外装体１０は、図１及び図３に示すように、２枚のシート１１，１２と、これら２枚のシート間に固定された各部の弾性部材１３，１４，１５とからなる。具体的には、２枚のシート１１，１２間には、ウエスト開口部２２の周縁部にウエストギャザーを形成するウエスト部弾性部材１３、脚周りに配される部位である、レッグ開口部２３の周縁部にレッグギャザーを形成するレッグ部弾性部材１４、及びウエスト開口部２２の周縁端から下方に３０ｍｍ離間した位置からレッグ開口部２３，２３の上端までの領域である胴回り部に、胴回りギャザーを形成する胴回り部弾性部材１５がそれぞれ伸張状態で固定されている。
【００１６】
吸収性本体５は、おむつの股下部Ｃに、図３に示すように、外装体１０に固定された固定部５１と、該固定部５１の両側に位置し外装体１０に固定されていない非固定部５２とを有している。具体的には、吸収性本体５は、その長手方向のほぼ全域において、図３に示すように、その幅方向の中央部分のみが、接着剤２４により外装体１０に接合されており、その両側に位置する部分は、外装体１０に接合されていない。
【００１７】
非固定部５２と、外装体１０における固定部５１の両側に位置する部分１８との間に充分な大きさのポケットＰを形成させる観点から、非固定部５２の幅Ｗ１（図３参照）は、おむつ長手方向における、後述する補助吸収体３１が存在する部位において、吸収性本体５の幅Ｗ２（図３参照）の１０〜４０％の範囲内であることが好ましく、１５〜３５％の範囲内であることがより好ましい。また、吸収性本体５の長手方向の長さＬ２（図２参照）の５０〜１００％、特に５５〜１００％の長さに亘る部分において、非固定部５２の幅Ｗ１は、前記幅Ｗ２に対する割合が上述した範囲内であることが好ましい。尚、本明細書中に記載の各部の寸法は、展開且つ伸張状態のおむつにおいて測定する。
【００１８】
おむつ１は、図２及び図３に示すように、おむつ股下部Ｃにおける、左右の対称の部位に一対の補助吸収体３１を有する。
各補助吸収体３１は、外装体１０における、吸収性本体５の固定部５１の両側に位置する部分１８，１８それぞれに接着剤を介して固定されている。
一対の補助吸収体３１は、個々独立した補助吸収体３１を、固定部５１の左右にそれぞれ固定することにより設けたものでよいが、一対の補助吸収体３１がシート状の連結部を介して連結された構成の中間部材を製造し、該中間部材の前記連結部を吸収性本体５と外装体１０との間に固定することにより、一対の補助吸収体３１を、固定部５１の左右にそれぞれ配置することもできる。連結部と吸収性本体５及び連結部５と外装体１０との間の接着には、公知の接合手段（ヒートシール、超音波シール、高周波シール、接着剤による接着等）を用いることができる。
【００１９】
各補助吸収体３１は、吸収性コア４よりも厚さが薄い。
補助吸収体３１の厚さは、吸収性コア４の厚さの０．０１〜６０％、特に０．１〜３０％であることが、装着感の悪化を防止する観点から好ましい。同様の観点から、各補助吸収体３１の厚さは０．１〜２０ｍｍ、特に０．５〜１０ｍｍであることが好ましい。
【００２０】
補助吸収体３１及び吸収性コア４の厚さは、以下のようにして測定することができる。
〔補助吸収体の厚さ測定方法〕
おむつから丁寧に補助吸収体を取り出し、その補助吸収体上に、５０ｍｍ×５０ｍｍのアクリル板を乗せて、荷重０．６ｇ/ｃｍ2下の厚みを、キーエンス社製の非接触型ＣＣＤレーザー変位センサーＬＫ−０８０等を用いて測定する。尚、本実施形態におけるように補助吸収体が、外装体の片面上に固定されている場合は、外装体上に存する部分の全体の厚みを測定し、図５に示すように、補助吸収体が、外装体の内部に固定されている場合は、補助吸収体と外装体を含めた全体の厚みを測定し、他領域の外装体の厚みを差し引くことで補助吸収体の厚みを測定する。
【００２１】
〔吸収性コアの厚さ測定方法〕
おむつから丁寧に吸収性コアを取り出し、それをサンプルとする以外は、上述した補助吸収体の厚さ測定方法と同様にして測定する。尚、被覆シートが容易に剥ぎ取れない場合は被覆シートを含んだまま厚みを測定し、その後被覆シートの厚み分を差し引いて厚みとする。股下中央部等に二層構造の厚さの厚い部分を有する場合等、吸収性コアがその一部に厚さの厚い領域を有する場合には、その厚さの厚い部分の厚さを測定する。
【００２２】
補助吸収体３１は、それぞれの吸収容量が、前収性コア４の吸収容量の０．１〜１５％、特に０．５〜１０％であることが、モレ防止性能とコストの点で、好ましい。
【００２３】
補助吸収体３１及び吸収性コア４の吸収容量は、以下のようにして測定することができる。
〔補助吸収体の吸収容量の測定方法〕
おむつから補助吸収体部分を切り取り、（社）日本衛生材料工業連合会の日衛連ニュースの１２（１９９３年６月）に開示されている大人用紙おむつ（フラットタイプ）のガイドラインの試験方法に準じて測定を行なう。即ち、十分な量の試験液（０．９％食塩水）に５分間浸漬した後、横に差し渡した丸棒にクリップで止めて吊るし１０分間放置する。放置後の重量を秤量し、試験液に浸漬する前の補助吸収体の重量をさし引いた値を吸収容量とする。尚、吊るす際に吸収体が落下してしまう場合には２５０メッシュのナイロン網の袋に入れて水切りを行なう。
【００２４】
例えば図５に示す実施形態のように、固定部の左右両側の補助吸収体が、それぞれ、複数の分割片に分割されている場合、左右両側の一方の側に存する分割片の合計吸収容量と、他方の側に存する分割片の合計吸収容量とを別々に算出し、そのそれぞれを各補助吸収体の吸収容量とする。
【００２５】
〔吸収性コアの吸収容量の測定方法〕
外装体及び吸収性本体に配設されている弾性材料に、はさみで切り込みを入れて、これらを伸縮しない状態にすると共に、おむつから、補助吸収体部分のみを切り出し除去した残りの部分を使用する。この残りの部分を測定サンプルとする以外は、上述した補助吸収体の吸収容量の測定方法と同様にして測定する。
【００２６】
各補助吸収体３１は、おむつを展開且つ伸張状態として見たときに、図２及び図３に示すように、その一部が吸収性本体５の長手方向の側縁の位置よりもおむつ幅方向の外方に位置し、残りの部分（他の一部）が、吸収性本体５の長手方向の側縁の位置よりもおむつ幅方向の内方に位置するように配されている。即ち、補助吸収体３１の一部は、おむつの厚み方向において非固定部５２と重なっている。
吸収性コアからこぼれた液を、おむつから漏れ出さないようにするには、吸収性コアの外方に、補助吸収体を配置して吸収させることが望ましい。しかし、補助吸収体を吸収性コアの外方に設けると、装着違和感が増大したり、また、パンツ型のおむつにおいては、胴周り方向の伸縮性の阻害につながる。補助吸収体３１の一部を非固定部５２と重ねて配置することで、そのような不都合を防止しつつ、吸収容量及び吸収性能を高めることができる。
【００２７】
各補助吸収体３１は、吸収性本体の長手方向の側縁よりも外方に位置する部分の面積が、その全面積の２０〜８０％、特に３０〜７０％程度であることが、モレ防止性能と装着感の点から好ましい。
また、各補助吸収体３１は、その面積（全面積）が５０〜２５０ｃｍ2、特に７０〜１５０ｃｍ2程度であることが、モレ防止性能と装着感の点から好ましい。
【００２８】
また、各補助吸収体３１は、おむつ幅方向の寸法Ｌ３（図２参照）が吸収性本体５の幅Ｗ２（図３参照）の１０〜７０％、特に１５〜６５％であることが、モレ防止性能と装着感の点から好ましい。
また、各補助吸収体３１は、おむつ長手方向の寸法Ｌ４（図２参照）が吸収性本体５の長さＬ２（図２参照）の１０〜１００％、特に２０〜９０％であることが、モレ防止性能と装着感の点から好ましい。
【００２９】
吸収性本体５の非固定部５２には、吸収性本体５の長手方向に沿って弾性部材５６が配されている。具体的には、図３に示すように、吸収性本体５の両側部に、一側縁部に弾性部材５６が固定されたシート５５が固定されており、該弾性部材５６によって、非固定部５２に起立性向が付与されている。
非固定部５２に弾性部材５６を配することにより、装着時に、吸収性本体５の幅方向の形状が外装体側に向けて凸に湾曲した形状となり、着用者の排泄部と吸収性コア４との間に空間を形成できると共に、吸収性本体５の非固定部５２に弾性部材５６によって起立性向が付与されて、充分な大きさのポケットＰを確実に形成することができる。これらによって、優れた股漏れ防止性能が得られる。
【００３０】
おむつ１においては、上述したように、外装体１０における着用者の脚周りに配される部位としての、レッグ開口部の周縁部に、レッグギャザー形成用のレッグ部弾性部材１４が配されている。
各補助吸収体３１は、図２及び図３に示すように、おむつ幅方向において、レッグ部弾性部材１４よりも、おむつ幅方向の内側に配されている。補助吸収体３１は、おむつ長手方向における、該補助吸収体３が存在する範囲Ｍ（図２参照）内の全域において、レッグ部弾性部材１４よりも内側に配されている。
補助吸収体３１が、レッグ部弾性部材１４のレッグギャザーを形成する部分と重なっていないことで、該ギャザーの伸縮応答性を阻害することがない。また、着用時に、補助吸収体３１の両側において、非固定部５２とレッグギャザー部とが着用者の肌側に向かって起立する状態となって、補助吸収体３１が直接肌に接触しにくくなるため、装着感を一層向上させることができる。
尚、実施形態における補助吸収体３１は、台形の角を丸めた形状を有しており、レッグ部弾性部材１４及び固定部５１の側縁端に沿った縁部を有している。
【００３１】
本実施形態のおむつ１によれば、非固定部５２が、補助吸収体３１の影響を受けずに起立することで、非固定部５２が防漏壁として確実に機能すると共に、その防漏壁を越えて漏れだした液が、外装体１０に配された補助吸収体３１によって吸収されるため、優れた股漏れ防止性能が発現される。また、補助吸収体３１は、厚みが吸収性コア４よりも薄く、また、吸収性本体５の側縁端からの延出幅を比較的狭くできるため、着用者に違和感を与えることもなく、装着感も良好である。
【００３２】
優れた股漏れ防止性能を発現させる観点から、補助吸収体３１は、本実施形態におけるように、少なくとも一部が股下部Ｃに位置することが好ましく、その全体が股下部Ｃに位置することが好ましい。但し、装着時に違和感が発生することを防止するために、股下部Ｃにおける、おむつの幅が最小となる部位には、吸収性本体の側縁から外方にはみ出す部分がないことが好ましく、該部位には、補助吸収体が存在しないことがより好ましい。ここで、股下部Ｃとは、おむつ長手方向の背側部Ａ側の端部からの距離Ｌが、おむつ長手方向全長Ｌ１の１０〜３０％までの範囲内である。
同様の観点から、補助吸収体３１は、その全体が、おむつ長手方向の背側部Ａ側の端部からの距離Ｌが、おむつ長手方向全長Ｌ１の５〜４０％までの範囲内、特に５〜３５％までの範囲内に位置することが好ましい。
【００３３】
補助吸収体３１は、本おむつ１におけるように、少なくとも背側部Ａに設けられていることが好ましい。背側部Ａに設けられていると、寝ている状態での排尿時にモレ防止効果が高まる。
【００３４】
補助吸収体３１としては、(1)繊維集合体からなるもの、(2)繊維集合体に吸水性ポリマーを保持させたもの、（３）従来の綿状パルプと吸水性ポリマーからなる繊維集合体等を用いることができる。これらは、外装体１０を構成するシート１１上に直接固定しても良いが、外装体１０が透液性である場合等には、外装体１０の面に樹脂フィルム等を積層接着した状態で、外装体１０に固定することが好ましい。補助吸収体３１は、シート状であり、厚みがほぼ一定であることが好ましい。
【００３５】
各補助吸収体３１は、図２に示すように、おむつ幅方向外方に向かうに従って、おむつ長手方向全長を２等分する中央線ＣＬからの離間距離Ｄが漸次増大する円弧形状の外側縁３２を有している。
補助吸収体３１がこのような形状を有することにより、装着時の違和感を極力抑えながら吸収体から漏れた液を効率的に吸収することができる。
おむつ１における外側縁３２は、おむつ幅方向外方に臨む縁部であり、概ねレッグ部弾性部材１４に沿った形状を有している。中央線ＣＬからの離間距離Ｄが漸次増大する外縁部３２は、中央線ＣＬに対して所定の角度をなす直線状であっても良い。
【００３６】
繊維集合体を構成する繊維材料としては、セルロース繊維、再生セルロース繊維、クラフトパルプ、ＰＥ、ＰＥＴ，ＰＰなどの合成繊維を親水化処理して得られた繊維等が挙げられる。
【００３７】
繊維集合体の形態としては、乾式パルプシート、吸収性ポリマーを紙や不織布で固定したシート、更には、各種公知の方法により得られた不織布等、及びこれらの積層体等が挙げられる。
繊維集合体に吸水性ポリマーを保持させる態様としては、繊維間に分散させて保持させた形態、繊維集合体間にサンドイッチした形態等が挙げられる。
【００３８】
本実施形態における補助吸収体３１は、図示しないが、液透過性の第２表面シート、液不透過性又は撥水性の第２裏面シート及びこれら両シート間に介在する吸収シートからなり、第２裏面シート側を外装体側に向けて、外装体上に固定されている。
吸収シートとは例えば、紙や不織布からなる親水性のシート材に吸水性ポリマーを散布して固定したものを好ましく用いることができる。吸水性ポリマーの固定方法としては、各種公知の方法を用い得るが、例えば、ポリマーを挟んだ２枚のシート材間を部分的に圧着したり、シート材にホットメルト接着剤によりポリマーを固定したりする方法等が挙げられる。第２表面シートとしては、表面シート２と同様のもの、第２裏面シートは、裏面シート３と同様のものを用いることができる。
また、補助吸収体３１の構成の好ましい一例としては、特開平８−２４６３９５，特開平８−１１２３０７又は特開平８−１２０５９０に記載のものが挙げられる。
【００３９】
おむつ１の補助吸収体以外の各部を構成する材料としては当該技術分野において通常用いられているものを特に制限なく用いることができる。
例えば表面シート２としては、親水性且つ液透過性の不織布や、開孔フィルムを用いることができる。裏面シート３としては、撥水性の不織布、樹脂フィルムや、樹脂フィルムと不織布等とのラミネート材等を用いることができる。
吸収性コア４としては、フラッフパルプの積繊物、フラッフパルプと高吸収性ポリマーの粒子との混合積繊物等を用いることができる。
【００４０】
シート材５５としては、スパンボンド・メルトブローン・スパンボンドのような多層構成の撥水性複合不織布等を用いることができる。非固定部５２に起立性向を付与する弾性部材５６としては、糸状のもの（糸ゴム等）、所定幅の帯状のもの（平ゴム等）等を用いることができ、弾性部材の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。非固定部に起立性向を付与する弾性部材５６は、非固定部５２に複数本（例えば２本から５本）配されていても良い
【００４１】
図４は、本発明の他の実施形態のおむつ１’を示す図で、特に説明しない点については、上述したおむつ１と同様である。
おむつ１’においては、左右両側それぞれに存する各補助吸収体が、それぞれ、長手方向に複数の分割片に分割されている。より具体的には、背側部Ａに位置する分割片３１Ａと腹側部Ｂに位置する分割片３１Ｂとに分割されており、両分割片３１ａ，３１Ｂは、おむつ長手方向全長を２等分する中央線ＣＬを挟むように配置されており、相互に離間している。
分割片３１Ａ，３１Ｂは、何れも、おむつ幅方向外方に向かうに従って、前記中央線ＣＬからの離間距離が漸次増大する円弧形状の外側縁３２，３３を有しており、分割片間のおむつ長手方向の離間距離も、おむつ幅方向外方に向かうに従って漸次増大している。
【００４２】
おむつ１’においては、各補助吸収体３１が、背側部Ａに位置する分割片３１Ａと腹側部Ｂに位置する分割片３１Ｂとに分割されているため、腹側部３１Ｂは男性の前モレ対策に有効であり、背側部３２Ｂは寝位のモレ防止に対して有効であるので、コストを抑えながら効率的にモレを防止できる。
しかも、両分割片３１Ａ，３１Ｂ間のおむつ長手方向の離間距離も、おむつ幅方向外方に向かうに従って漸次増大しているため装着違和感を抑えながら効率的にモレを防止できる
【００４３】
以上、本発明の好ましい実施形態について説明したが、本発明は、上述した実施形態に制限されず、本発明の趣旨を逸脱しない範囲で種々変更が可能である。
例えば、図５に示すように、補助吸収体３１は、外装体１０を構成するシート１１，１２間に固定されていても良い。この場合、シート１１の少なくとも補助吸収体３１を覆う部分は、液透過性とする。その方法としては、シート１１として、液透過性シートを用いる方法、液不透過性又は撥水性のシートに開孔を設ける方法等がある。
【００４４】
また、おむつ幅方向外方に向かうに従って、おむつ長手方向全長を２等分する中央線からの離間距離が漸次増大する形状の外側縁は、図６や図７に示すような形状のものであっても良い。また、複数の分割片３１Ａ，３１Ｂ間の長手方向の離間距離が、おむつ幅方向外方に向かうに従って漸次増大している実施形態は、図６に示すような形態であっても良い。
【００４５】
更に、本発明における補助吸収体は、図７に示すように、背側部と腹側部との間に亘るものであっても良い。この場合、装着時に違和感が発生することを防止するために、股下部Ｃにおける、おむつの幅が最小となる部位には、吸収性本体の側縁から外方にはみ出す部分がないことが好ましい。尚、股下部Ｃにおける、おむつの幅が最小となる部位付近で、レッグ部弾性部材がレッグ開口部の縁部から離れて吸収性本体の側縁より内側に入り込んでいる場合、その入り込んだ部分が補助吸収体の一部とが重なっていても、その入り込んだ部分は、レッグ部弾性部材と考えずに、補助吸収体は、おむつ幅方向において、レッグ部弾性部材の配設位置よりも内側に配されているものとする。
【００４６】
また、補助吸収体３１に着色をして、おむつの前後の区別が明瞭になるようにしても良いし、補助吸収体３１に、発色や変色、発音等により尿の吸収を知らせるインジケータ機能を付与しても良い。発色や変色は、着用状態のおむつの外側から判別できるようにすることが好ましい。
【００４７】
外装体１０は、シートが２枚の積層されたものに限られず、シートが１枚のもの又は３枚以上のシートが積層されたものであっても良い。
また、補助吸収体３１の形状は、台形、三角形、円形、楕円形、菱形等の任意の形状とすることができる。
【００４８】
本発明の使い捨ておむつは、幼児用のパンツ型おむつであっても良く、更には、幼児又は成人用のいわゆる展開型の使い捨ておむつであっても良い。
【図面の簡単な説明】
【００４９】
【図１】図１は、本発明の使い捨ておむつの一実施形態としてのパンツ型おむつを背側部側から見た状態を示す斜視図である。
【図２】図２は、図１に示すおむつの伸張且つ展開状態を示す平面図である。
【図３】図３は、図２のＩ−Ｉ線模式断面図である。
【図４】図４は、本発明の他の実施形態を示す図で、図２に相当する図である。
【図５】図５は、本発明の他の実施形態を示す図で、図３に相当する図である。
【図６】図６は、本発明の更に他の実施形態を示す図である。
【図７】図７は、本発明の更に他の実施形態を示す図である。
【符号の説明】
【００５０】
１  使い捨ておむつ
２  表面シート
３  裏面シート
４  吸収性コア
５  吸収性本体
５１  固定部
５２  非固定部
５６  非固定部に配された弾性部材
１０  外装体
１８  外装体における、吸収性本体の固定部の両側に位置する部分
Ａ    背側部
Ｂ    腹側部
Ｃ    股下部
【図１】
2006000329.tif 000003
【図２】
2006000329.tif 000004
【図３】
2006000329.tif 000005
【図４】
2006000329.tif 000006
【図５】
2006000329.tif 000007
【図６】
2006000329.tif 000008
【図７】
2006000329.tif 000009